(57)【特許請求の範囲】
【請求項１】
多数の貫通孔を有する床材を梁部材上に敷設して形成された床面に機器を設置するための設置台であって、
前記設置台は、その下面に前記床材の貫通孔を貫通して前記梁部材上に当接する複数の突起部を有し、前記突起部を前記貫通孔に貫通させて前記梁部材上に当接させることにより、前記設置台が前記床材に接触しないように前記設置台を前記突起部を介して前記梁部材に支持することを特徴とする設置台。
【請求項２】
前記突起部は、前記設置台に対して着脱自在であることを特徴とする請求項１記載の設置台。
【請求項３】
前記設置台には、該設置台を前記梁部材に固定する固定手段が設けられると共に、該固定手段は前記床材に接触することなく、前記設置台を固定可能な構造であることを特徴とする請求項１又は２記載の設置台。
【発明の詳細な説明】
【０００１】
【発明の属する技術分野】
本発明はグレーチング床等の貫通孔を有する床材の上方に機器を設置するための設置台に係り、特に計測器等の嫌振機器を設置するための設置台に関する。
【０００２】
【従来の技術】
建築現場等において、多数の貫通孔が形成されたグレーチング床の上方に計測機器を設置する場合、まず、計測機器の台（三脚等）が貫通孔から脱落するのを防止するために設置台をグレーチング床に敷き、この設置台の上に計測機器を設置する。しかし、グレーチング床は周辺作業による振動や通行者等による振動の影響を受けて振動しやすいので、設置台上の計測機器の位置がずれるという問題がある。
【０００３】
そこで、従来の設置台は、グレーチング床を支持する梁部材の露出部分に設置され、計測機器がグレーチング床の振動に影響されないようにしていた。
【０００４】
【発明が解決しようとする課題】
しかしながら、従来の設置台は、梁部材の露出部分がない場合には、設置台を取り付けることができないという欠点があった。このため、特に火力発電所のプラント建屋のように床面の殆どにグレーチングを敷設する場合には、従来の設置台を取り付けることができなかった。
【０００５】
本発明はこのような事情に鑑みてなされたもので、グレーチング床の振動の影響を受けず、且つ梁部材の露出部分以外にも固定することのできる設置台を提供することを目的とする。
【０００６】
【課題を解決する為の手段】
前記目的を達成するために本発明は、多数の貫通孔を有する床材を梁部材上に敷設して形成された床面に機器を設置するための設置台であって、前記設置台は、その下面に前記床材の貫通孔を貫通して前記梁部材上に当接する複数の突起部を有し、前記突起部を前記貫通孔に貫通させて前記梁部材上に当接させることにより、前記設置台が前記床材に接触しないように前記設置台を前記突起部を介して前記梁部材に支持することを特徴とする。
【０００７】
請求項１記載の発明によれば、設置台が床材と接触しないように梁部材に支持されるので、床材が振動してもその振動が直接設置台に伝わらず、設置台は殆ど振動しない。したがって、本発明の設置台は、計測機器のような嫌振機器を設置するのに適している。また、本発明の設置台は、突起部を床材の貫通孔に挿通させて梁部材に当接させるので、梁部材が露出していなくても設置台を取り付けることができる。
【０００８】
請求項２記載の発明によれば、前記突起部が着脱自在であるので、該突起部を床材に接触しない位置を選択して取り付けることができ、床材の貫通孔の配置に簡単に対応することができる。
請求項３記載の発明によれば、前記設置台は、前記床材と非接触となるように固定手段によって梁部材に固定されるので、殆ど振動しない状態で設置台を固定することができ、設置台に設置した機器を安定させることができる。
【０００９】
【発明の実施の形態】
以下添付図面に従って、本発明に係る設置台の好ましい実施の形態について詳説する。
本発明の実施の形態に係る設置台１０は、図１及び図２に示すように計測機器２２をグレーチング床２４の上方に設置するための台である。グレーチング床２４は、格子状に形成されて多数の貫通孔が形成されるとともに、梁部材２６の上面に支持されている。
【００１０】
設置台１０は主として、計測器台１２、支柱１４、及び台座１６で構成される。台座１６は矩形状に形成され、台座１６の上面には、円柱状の支柱１４が鉛直に設置される。支柱１４の上部には、円形の計測器台１２が設置され、この計測器台１２に計測機器２２が設置される。
台座１６の下面には、図３に示すように、多数のピン（突起部に相当）１８、１８…が配設されている。このピン１８は、グレーチング床２４の貫通孔に挿通可能な太さに形成されるとともに、その長さＬがグレーチング床２４の厚さｔよりも長く形成されている。ピン１８の個数や配置は、ピン１８がグレーチング床２４に接触することなく貫通孔に貫通されるのであればよい。例えば、図４に示すように、台座１６の下面に多数のねじ孔１９、１９…を形成し、このねじ孔１９のうちグレーチング床２４に接触しない位置（図４中、太線で示す位置）を選択してピン１８を取り付ける。これにより、グレーチング床２４の継ぎ目部分であってもピン１８をグレーチング床２４の貫通孔に挿通させることができ、台座１６を図３に示したように梁部材２６に載置することができる。
【００１１】
梁部材２６に載置された台座１６は、固定部材（固定手段に相当）２０により固定される。固定部材２０は、複数のシャコ万力が使用され、略コの字状に形成された支持部材３０と、端部にハンドル３４が設けられたねじ付きシャフト３２とから構成される。ねじ付きシャフト３２は、支持部材３０の端部に螺合され、このねじ付きシャフト３２をねじ込むことにより、ねじ付きシャフト３２の先端３２Ａと支持部材３０の他端部３０Ａで挟持することが可能となる。また、略コの字状に形成された支持部材３０は、グレーチング床２４の貫通孔に挿通可能な太さで形成されている。
【００１２】
次に上記の如く構成された設置台１０の作用について説明する。
まず、グレーチング床２４の上方から梁部材２６に台座１６を載置し、ピン１８をグレーチング床２４の貫通孔に挿通して、梁部材２６に当接させる。このとき、ピン１８の長さＬがグレーチング床２４の厚さｔよりも長いので、台座１６とグレーチング床２４との間には隙間が形成され、台座１６はグレーチング床２４に接触することなく梁部材２６に支持される。
【００１３】
次に、固定部材２０の支持部材３０をグレーチング床２４の貫通孔から挿通させ、ハンドル３４を回転してねじ付きシャフト３２を支持部材３０にねじ込むことにより、ねじ付きシャフト３２の端部３２Ａと支持部材３０の端部３０Ａで、台座１６の上面と梁部材２６の下面を両外側から挟圧し、台座１６を梁部材２６に固定する。このとき、固定部材２０がグレーチング床２４に接触しないようにする。これにより、設置台１０を、グレーチング床２４に接触させることなく、梁部材２６に固定することができる。
【００１４】
このように本実施の形態の設置台１０は、台座１６の下面にグレーチング床２４の厚さよりも長いピン１８を取り付け、このピン１８をグレーチング床２４の貫通孔に挿通して梁部材２６に当接させるので、設置台１０をグレーチング床２４に接触させることなく梁部材２６に設置することができる。この梁部材２６は、剛性が大きく、グレーチング床２４とは異なり振動しにくいので、梁部材２６に固定した設置台１０は殆ど振動しない。したがって、本実施の形態の設置台１０は、振動の影響を受けやすい計測機器２２等の嫌振機器を設置するのに適している。
【００１５】
なお、上述した実施の形態では、複数のピン１８を同じ長さに形成したが、これに限定されるものではない。例えば、図５に示すように、梁部材２６及びグレーチング床２４が傾斜して設置されている場合には、長さの異なるピン１８Ａ、１８Ｂを取り付けることにより、台座１６を水平に取り付けることができる。このように、長さの異なるピン１８Ａ、１８Ｂを台座１６に取り付けると、梁部材２６が勾配して設置されていたり、形状が変形している場合であっても、台座１６を任意の角度で設置することができる。
【００１６】
また、固定部材２０の構造は、上述した実施の形態に限定されるものでなく、設置台１０をグレーチング床２４に接触させることなく、梁部材２６に固定できるのであればよい。例えば、図６及び図７に示す固定部材４０は、４個のシャコ万力を一体化したものであり、４個の脚部材４６、４６…と、１本のねじ付きシャフト４４を備えている。ねじ付きシャフト４４の一端部にはハンドル４２が設けられ、他端部には押圧部４８が形成されている。また、ねじ付きシャフト４４には、一対のくさび部５０Ａ、５０Ａが設けられたくさび部材５０が螺合されている。さらに、ねじ付きシャフト４４には、略矩形状の支持部材５２がねじ付きシャフト４４の軸方向にスライド自在に取り付けられ、この支持部材５２に略コの字状の脚部材４６、４６…が軸５１、５１を介して回動自在に取り付けられている。この脚部材４６の端部には、前記くさび部５０Ａが当接する当接部４６Ａが形成されている。また、前記ねじ付きシャフト４４には、図７に示すナット５４が螺合され、このナット５４によって前記支持部材５２の上下方向の位置が規制される。
【００１７】
上記の如く構成された固定部材４０は、脚部材４６、４６同士を図７中２点鎖線で示すように開いてグレーチング床２４の貫通孔から挿入し、ねじ付きシャフト４４の押圧部４８を台座１６に当接させた後、ハンドル４２を介してねじ付きシャフト４４を回転させる。ねじ付きシャフト４４を回転させると、ねじ付きシャフト４４に螺合されたくさび部材５０が下方にスライドし、くさび部分５０Ａが脚部材４６の当接部４６Ａに当接して外側に押圧する。これにより、脚部材４６、４６同士が閉方向に回動し、ねじ付きシャフト４４の押圧部４８と脚部材４６とで台座１６の上面と梁部材２６の下面を挟持して、台座１６を梁部材２６に固定することができる。このように、固定部材４０は、一回の操作で台座１６を梁部材２６に４ヵ所で固定することができる。
【００１８】
【発明の効果】
以上説明したように本発明の設置台によれば、設置台は床材と非接触となるように梁部材に支持されて殆ど振動しないので、計測機器のような嫌振機器を設置することができる。また、本発明の設置台は、設置台の突起部を床材の貫通孔に挿通させることにより設置台を梁部材に支持するので、梁部材が露出していなくても設置台を設置することができる。
【図面の簡単な説明】
【図１】本発明の実施の形態に係る設置台の斜視図
【図２】図１に示した設置台の組立図
【図３】図１に示した設置台の側面図
【図４】図１に示した台座の下面図
【図５】図３と別形状のピンを示す側面図
【図６】図１と別形状の固定部材を示す斜視図
【図７】図１と別形状の固定部材を示す側面図
【符号の説明】
１０…設置台、１２…計測器台、１４…支柱、１６…台座、１８…ピン、２０…固定部材、２２…計測機器、２４…グレーチング床、２６…梁部材、３０…支持部材、３２…ねじ付きシャフト
【図１】
0004232275.tif 000002
【図２】
0004232275.tif 000003
【図３】
0004232275.tif 000004
【図４】
0004232275.tif 000005
【図５】
0004232275.tif 000006
【図６】
0004232275.tif 000007
【図７】
0004232275.tif 000008